(57)【要約】【課題】ロール紙を外部へ引き出して必要な長さで容易に切断すること。【解決手段】蓋部１３の側縁部にカッター４１を備えるとともに、本体部１２と蓋部１３とが組付けられた状態において、本体部１２の外周面は、本体部１２の外周面と蓋部１３の外周面とが同一面となるラウンド面に形成されている。そして、引出し口３５を介して外部へ引き出された脂取り紙１１を、蓋部１３の側縁部を基点にして鋭角に折り返すとともに、脂取り紙１１を必要な長さで複数の突起刃４１ａに押し当てながら、ラウンド面に形成された蓋部１３の外周面に沿うように引っ張りながら切断する。【選択図】図５
0003153204.tif 000002
【実用新案登録請求の範囲】
【請求項１】
ロール紙を収納する収納空間を有する筒状のケース本体と、
前記ケース本体の周面に設けられるとともに前記ロール紙を外部へ引き出すための引出し口と、
前記引出し口の形成位置に対応して配置される複数の突起刃を備えるとともに、前記ロール紙を前記複数の突起刃に押し当てながら引っ張ることで前記ロール紙を切断する切断手段と、を備え、
前記ケース本体において、前記切断手段によって前記ロール紙を切断する際に前記ロール紙を引っ張る方向に沿う周面がラウンド面に形成されていることを特徴とするロール紙収納容器。
【請求項２】
前記ケース本体は、前記収納空間を有する筒状の本体部と、前記本体部に対して開閉自在に取り付けられる蓋部とを備え、
前記引出し口は、前記蓋部が前記本体部に対して閉じられた状態において、前記蓋部における開閉側の側縁部と前記本体部の側縁部との間に形成されており、
前記切断手段は、前記蓋部の側縁部に設けられるとともに、
前記蓋部において、前記切断手段によって前記ロール紙を切断する際に前記ロール紙を引っ張る方向に沿う周面がラウンド面に形成されていることを特徴とする請求項１に記載のロール紙収納容器。
【請求項３】
前記本体部は、該本体部の軸方向に二分割してなる第１部材と第２部材とから構成されるとともに、
前記本体部には、前記第１部材と前記第２部材とを組み合わせることにより、前記ロール紙を前記本体部から外部へ引き出すためのスリットが形成されることを特徴とする請求項２に記載のロール紙収納容器。
【請求項４】
前記ケース本体の周面全体がラウンド面に形成されていることを特徴とする請求項１〜請求項３のいずれか一項に記載のロール紙収納容器。
【請求項５】
前記ロール紙は脂取り紙又はメガネ拭きであることを特徴とする請求項１〜請求項４のいずれか一項に記載のロール紙収納容器。
【考案の詳細な説明】
【技術分野】
【０００１】
本考案は、ロール紙を収納するロール紙収納容器に関する。
【背景技術】
【０００２】
近年、額や鼻等の顔の表面に分泌された余分な脂分を吸い取る脂取り紙をロール状に連続して巻いた状態で収納するロール紙収納容器が知られている（例えば特許文献１参照）。
【０００３】
特許文献１のロール紙収納容器は、脂取り紙を収納する本体と、本体に開閉自在に取り付けられる蓋部材とを備えている。本体の一側面にはスリットが形成されるとともに、蓋部材における開閉側の側縁部にはカッター設けられている。そして、本体内に収納された脂取り紙は、脂取り紙がスリットを介して外部へ引き出されるとともに、カッターにより必要な長さで切断されて使用される。
【先行技術文献】
【特許文献】
【０００４】
【特許文献１】実用新案登録第３１２９１４８号公報
【考案の概要】
【考案が解決しようとする課題】
【０００５】
しかしながら、特許文献１のロール紙収納容器では、本体内に収納された脂取り紙をスリットを介して外部へ引き出して必要な長さで切断する際に、脂取り紙に対してカッターがうまく食い込まず、脂取り紙をスムーズに切断できないという問題があった。
【０００６】
なお、こうした問題は、ロール状に連続して巻かれた脂取り紙を切断する場合に限らず、帯状の紙を巻いて形成されたロール紙であれば概ね共通したものとなっている。
本考案の目的は、ロール紙を外部へ引き出して必要な長さで容易に切断することができるロール紙収納容器を提供することにある。
【課題を解決するための手段】
【０００７】
上記目的を達成するために、請求項１に記載の考案は、ロール紙を収納する収納空間を有する筒状のケース本体と、前記ケース本体の周面に設けられるとともに前記ロール紙を外部へ引き出すための引出し口と、前記引出し口の形成位置に対応して配置される複数の突起刃を備えるとともに、前記ロール紙を前記複数の突起刃に押し当てながら引っ張ることで前記ロール紙を切断する切断手段と、を備え、前記ケース本体において、前記切断手段によって前記ロール紙を切断する際に前記ロール紙を引っ張る方向に沿う周面がラウンド面に形成されていることを要旨とする。
【０００８】
この考案によれば、ロール紙を引出し口を介して外部へ引き出すとともに、ロール紙を必要な長さで複数の突起刃に押し当てながら、ラウンド面に形成されたケース本体の周面に沿うように引っ張ることで、ロール紙に対して切断手段をうまく食い込ませながら切断することができる。よって、ロール紙をスムーズに切断することができ、ロール紙を外部へ引き出して必要な長さで容易に切断することができる。
【０００９】
請求項２に記載の考案は、請求項１に記載の考案において、前記ケース本体は、前記収納空間を有する筒状の本体部と、前記本体部に対して開閉自在に取り付けられる蓋部とを備え、前記引出し口は、前記蓋部が前記本体部に対して閉じられた状態において、前記蓋部における開閉側の側縁部と前記本体部の側縁部との間に形成されており、前記切断手段は、前記蓋部の側縁部に設けられるとともに、前記蓋部において、前記切断手段によって前記ロール紙を切断する際に前記ロール紙を引っ張る方向に沿う周面がラウンド面に形成されていることを要旨とする。
【００１０】
この考案によれば、引出し口を介して外部へ引き出されたロール紙を必要な長さで蓋部の側縁部を基点にして鋭角に折り返すとともに、ラウンド面に形成された蓋部の周面に沿うように引っ張りながらロール紙を必要な長さで切断することができる。よって、切断手段が本体部の側縁部に設けられるとともに、ロール紙を本体部の周面側に引っ張りながら切断する場合と比較して、ロール紙を蓋部の側縁部を基点にして鋭角に折り返すことで、ロール紙に対して切断手段をよりうまく食い込ませることができる。
【００１１】
請求項３に記載の考案は、請求項２に記載の考案において、前記本体部は、該本体部の軸方向に二分割してなる第１部材と第２部材とから構成されるとともに、前記本体部には、前記第１部材と前記第２部材とを組み合わせることにより、前記ロール紙を前記本体部から外部へ引き出すためのスリットが形成されることを要旨とする。
【００１２】
この考案によれば、本体部内に収納されたロール紙が無くなってしまったとしても、第１部材と第２部材とを分離することで、新たなロール紙を容易に詰め替えることができる。また、ロール紙を本体部から外部へ引き出すためのスリットを第１部材と第２部材とを組み合わせるだけで形成することができる。
【００１３】
請求項４に記載の考案は、請求項１〜請求項３のいずれか一項に記載の考案において、前記ケース本体の周面全体がラウンド面に形成されていることを要旨とする。
この考案によれば、ケース本体の周面全体がラウンド面に形成されているため、ラウンド面に形成されたケース本体の周面に沿うように引っ張りやすくなり、ロール紙を外部へ引き出して必要な長さでさらに容易に切断することができる。
【００１４】
請求項５に記載の考案は、請求項１〜請求項４のいずれか一項に記載の考案において、前記ロール紙は脂取り紙又はメガネ拭きであることを要旨とする。
ロール紙収納容器は、脂取り紙又はメガネ拭きを収納するとともに脂取り紙又はメガネ拭きを必要な長さで切断するために好適である。
【考案の効果】
【００１５】
この考案によれば、ロール紙を外部へ引き出して必要な長さで容易に切断することができる。
【図面の簡単な説明】
【００１６】
【図１】本実施形態におけるロール紙収納容器を示す分解斜視図。
【図２】ロール紙収納容器の外観を示す斜視図。
【図３】蓋部が閉じた状態を示すロール紙収納容器の側面図。
【図４】蓋部が開いた状態を示すロール紙収納容器の側面図。
【図５】ロール紙収納容器の縦断面図。
【考案を実施するための形態】
【００１７】
以下、本考案を具体化した一実施形態を図１〜図５にしたがって説明する。
図１に示すように、ロール紙収納容器のケース本体１０は、ロール紙としての脂取り紙１１を収納する収納空間を有する合成樹脂製の本体部１２と、本体部１２に対して開閉自在に取り付けられる合成樹脂製の蓋部１３とを備えている。
【００１８】
まず、本体部１２について説明する。
本体部１２は円筒状であるとともに、本体部１２が軸方向に二分割されてなる半円筒状の第１部材１４及び第２部材２１とを組み合わせることで構成されている。第１部材１４には蓋部１３が取り付けられる。また、第１部材１４及び第２部材２１には、脂取り紙１１を収納する収納空間が形成されるとともに、第１部材１４と第２部材２１とを組み合わせることで、本体部１２の内部に脂取り紙１１を収納する収納空間が形成されるようになっている。
【００１９】
第１部材１４は、第１部材１４における軸方向の両端に設けられる端壁１４ａ，１４ｂ、及び端壁１４ａ，１４ｂを繋ぐ側壁１４ｃを有している。一方の端壁１４ａの内面には係合凹部１５が形成されるとともに、他方の端壁１４ｂの外面には凹部１６が形成されている。凹部１６内には、凹部１６から他方の端壁１４ｂの外方へ突出する突起部１７が形成されている。また、両端壁１４ａ，１４ｂにおける外面の角部であって、第１部材１４に対して蓋部１３が取り付けられる側には、軸部１８が両端壁１４ａ，１４ｂの外方へ突出するように形成されている。
【００２０】
さらに、側壁１４ｃにおける第１部材１４に対して蓋部１３が取り付けられる側であって、第１部材１４の軸方向に沿う側縁部には、切欠１９が第１部材１４の軸方向に延びるように形成されている。
【００２１】
第２部材２１は、第２部材２１における軸方向の両端に設けられる端壁２１ａ，２１ｂ、及び端壁２１ａ，２１ｂを繋ぐ側壁２１ｃを有している。一方の端壁２１ａには、一方の端壁２１ａから開口側へ延在するとともに、一方の端壁２１ａ側から外方へ突出する係合突起２２が形成されている。係合突起２２は、第１部材１４の係合凹部１５と対応する位置に設けられている。他方の端壁２１ｂには、他方の端壁２１ｂから開口側へ延在する弾性突片２３が設けられている。弾性突片２３は、第１部材１４の凹部１６と対応する位置に設けられている。弾性突片２３の内面には、第１部材１４の突起部１７と嵌合可能な嵌合凹部２４が形成されている。また、両端壁２１ａ，２１ｂにおける外面の角部であって、蓋部１３の開閉側と対応する位置には、嵌合突起２６が両端壁２１ａ，２１ｂの側方へ突出するように形成されている。
【００２２】
また、側壁２１ｃにおける第２部材２１の軸方向に沿う側縁部であって、第１部材１４の切欠１９と対応する部位には突片２５が形成されている。突片２５は、切欠１９と嵌合可能であるとともに、突片２５と切欠１９とが嵌合した状態において、突片２５と切欠１９との間に僅かな隙間３１（図５参照）が形成され、この隙間３１が、本体部１２に収納された脂取り紙１１を外部へ引き出すためのスリットとして機能する。また、第２部材２１の側壁２１ｃにおける外周面の途中には、第２部材２１の内側へ向かう段差部２１ｆが設けられている。
【００２３】
次に、蓋部１３について説明する。
蓋部１３は半円筒状であるとともに、蓋部１３における軸方向の両端に設けられる端壁１３ａ，１３ｂ、及び端壁１３ａ，１３ｂを繋ぐ側壁１３ｃを有している。両端壁１３ａ，１３ｂにおける内面の角部であって、第１部材１４の軸部１８と対応する位置には凹部１３ｄが形成されている。第１部材１４の軸部１８と蓋部１３の凹部１３ｄとは嵌合可能となっており、軸部１８と凹部１３ｄとが嵌合した状態において、軸部１８と凹部１３ｄとの間が周方向に摺動可能となっている。また、両端壁１３ａ，１３ｂにおける内面の角部であって、蓋部１３の開閉側には嵌合凹部１３ｆが形成されるとともに、第２部材２１の嵌合突起２６と嵌合凹部１３ｆとは嵌合可能となっている。
【００２４】
図２に示すように、蓋部１３が本体部１２に対して閉じられた状態において、蓋部１３における開閉側の側縁部と第２部材２１における段差部２１ｆの側縁部２１ｇとの間には、ケース本体１０内に収納された脂取り紙１１を外部へ引き出すための引出し口３５が設けられている。
【００２５】
蓋部１３における開閉側の側縁部には、切断手段としてのカッター４１が形成されている。カッター４１は三角形状の突起刃４１ａ（ノコ刃）が、側壁１３ｃにおける蓋部１３の軸方向に沿う側縁部に連続した状態で複数形成されている。
【００２６】
次に、上記構成におけるケース本体１０の組み立て方法について説明する。
まず、第１部材１４の収納空間に脂取り紙１１を載置するとともに、脂取り紙１１を適当な長さ引っ張り出して、脂取り紙１１が切欠１９を介して第１部材１４の外部へ露出した状態にしておく。この状態において、第１部材１４の係合凹部１５に第２部材２１の係合突起２２を挿入するとともに、第１部材１４の係合凹部１５と第２部材２１の係合突起２２とを係合させる。
【００２７】
次に、第２部材２１の弾性突片２３を第１部材１４の凹部１６に沿って押し込むとともに、弾性突片２３が第１部材１４の突起部１７を乗り越えて、嵌合凹部２４と突起部１７とを嵌合させる。すると、第１部材１４の切欠１９と第２部材２１の突片２５とが互いに嵌合するとともに、切欠１９と突片２５との間に形成される隙間３１から脂取り紙１１が本体部１２の外部へ引き出された状態となる。このようにして、脂取り紙１１は、本体部１２内に収納される。
【００２８】
次に、蓋部１３の両端壁１３ａ，１３ｂを弾性変形させて、蓋部１３の軸方向へ間隔を広げながら、第１部材１４の軸部１８を乗り越えさせて、蓋部１３の凹部１３ｄに軸部１８を嵌め込む。これにより、蓋部１３は、第１部材１４に対して軸部１８を中心に揺動する。
【００２９】
図２及び図３に示すように、蓋部１３が本体部１２に対して閉じた状態では、蓋部１３により隙間３１が覆われているとともに、第２部材２１の嵌合突起２６と蓋部１３の嵌合凹部１３ｆとが嵌合した状態となっており、不用意に蓋部１３が本体部１２に対して開くことを防いでいる。また、蓋部１３が本体部１２に対して閉じた状態において、カッター４１の刃先は、第２部材２１における段差部２１ｆの側縁部２１ｇと当接するようになっている。このようにして組み立てられたケース本体１０の外周面全体は、蓋部１３の外周面と本体部１２の外周面とが同一面となるラウンド面に形成されている。
【００３０】
また、ケース本体１０内に収納されていた脂取り紙１１が無くなり、新たな脂取り紙１１をケース本体１０内に詰め替える場合には、まず、蓋部１３を本体部１２に対して開く。そして、弾性突片２３を指先で引っ掛けるようにして本体部１２の外方へ力を加えて、嵌合凹部２４と突起部１７との嵌合を解除させながら、弾性突片２３を凹部１６に沿って引き抜く。その結果、係合凹部１５と係合突起２２との係合も解除され、第１部材１４と第２部材２１とが分離される。よって、本体部１２内に収納された脂取り紙１１が無くなってしまったとしても、第１部材１４と第２部材２１とを分離することで、新たな脂取り紙１１を容易に詰め替えることができる。
【００３１】
次に、上記構成におけるロール紙収納容器の使用方法について説明する。
図４に示すように、まず、蓋部１３を本体部１２に対して開くとともに、隙間３１から脂取り紙１１を必要な長さ分引き出す。そして、図５に示すように、本体部１２に対して蓋部１３を閉じるとともに、脂取り紙１１を必要な長さでカッター４１の刃先と段差部２１ｆの側縁部２１ｇとで挟み込むとともに、引出し口３５を介して脂取り紙１１をケース本体１０から外部へ露出させる。さらに、脂取り紙１１をカッター４１を基点にして蓋部１３の外周面に沿うように鋭角に折り返し、脂取り紙１１を必要な長さで複数の突起刃４１ａに押し当てるとともに、ラウンド面に形成された蓋部１３の外周面に沿うように引っ張りながら、脂取り紙１１を必要な長さでカッター４１により切断する。
【００３２】
上記実施形態では以下の効果を得ることができる。
（１）蓋部１３の側縁部にカッター４１を備えるとともに、本体部１２と蓋部１３とが組付けられた状態において、本体部１２の外周面は、本体部１２の外周面と蓋部１３の外周面とが同一面となるラウンド面に形成されている。そして、引出し口３５を介して外部へ引き出された脂取り紙１１を、蓋部１３の側縁部を基点にして鋭角に折り返すとともに、脂取り紙１１を必要な長さで複数の突起刃４１ａに押し当てながら、ラウンド面に形成された蓋部１３の外周面に沿うように引っ張る。よって、脂取り紙１１に対してカッター４１の突起刃４１ａをうまく食い込ませることができ、脂取り紙１１をスムーズに切断することができる。したがって、脂取り紙１１外部へ引き出して必要な長さで容易に切断することができる。
【００３３】
（２）カッター４１を蓋部１３の側縁部に形成した。よって、脂取り紙１１を、カッター４１を基点にしてラウンド面に形成された蓋部１３の外周面に沿う方向へ鋭角に折り返すことができるとともに、脂取り紙１１を蓋部１３のラウンド面に沿うように引っ張りながら脂取り紙１１を必要な長さで切断することができる。したがって、カッター４１が、段差部２１ｆの側縁部２１ｇに設けられ、脂取り紙１１を本体部１２の外周面に沿う方向に引っ張りながら切断する場合と比較して、脂取り紙１１をカッター４１を基点にして鋭角に折り返すことで、脂取り紙１１に対してカッター４１の突起刃４１ａをよりうまく食い込ませることができる。
【００３４】
（３）本体部１２は、第１部材１４と第２部材２１とから構成されるとともに、第１部材１４と第２部材２１とを組み合わせることでスリットとして機能する隙間３１が形成される。よって、本体部１２内に収納された脂取り紙１１が無くなってしまったとしても、第１部材１４と第２部材２１とを分離することで、新たな脂取り紙１１を容易に詰め替えることができる。また、脂取り紙１１を本体部１２から外部へ引き出すためのスリットとして機能する隙間３１を第１部材１４と第２部材２１とを組み合わせるだけで形成することができる。
【００３５】
（４）ケース本体１０の外周面全体がラウンド面に形成されているため、ラウンド面に形成されたケース本体１０の外周面に沿うように引っ張りやすくなり、脂取り紙１１を外部へ引き出して必要な長さでさらに容易に切断することができる。
【００３６】
（５）上記構成のロール紙収納容器は、脂取り紙１１を収納するとともに脂取り紙１１を必要な長さで切断するために好適である。
なお、上記実施形態は以下のように変更してもよい。
【００３７】
○  実施形態において、カッター４１を蓋部１３の側縁部に形成したが、これに限らず、第２部材２１における段差部２１ｆの側縁部２１ｇにカッター４１を形成してもよい。
○  実施形態において、カッター４１を蓋部１３の側縁部に形成したが、これに限らず、カッター４１を蓋部１３の側縁部に形成し、さらに、段差部２１ｆの側縁部２１ｇにもカッター４１を形成してもよい。
【００３８】
○  実施形態において、本体部１２を軸方向に二分割した構成としなくてもよい。この場合、脂取り紙１１を本体部１２に収納するための収納口、及び脂取り紙１１を本体部１２から外部へ引き出すためのスリットを本体部１２に別途設ける必要がある。
【００３９】
○  実施形態において、ケース本体１０が蓋部１３を備えていなくてもよい。この場合、ケース本体１０に形成される引出し口３５の形成位置にカッター４１を設ける必要がある。
【００４０】
○  実施形態において、ケース本体１０の外周面全体をラウンド面に形成したが、これに限らず、ケース本体１０において、カッター４１によって脂取り紙１１を切断する際に、脂取り紙１１とケース本体１０の外周面とが接触する部位のみがラウンド面に形成されていてもよい。
【００４１】
○  本考案を、ロール状に連続して巻かれた脂取り紙１１を収納するとともに、脂取り紙１１を必要な長さ引き出して切断する場合に適用したが、これに限らず、帯状の紙を巻いて形成されたメガネ拭き等を収納するとともに、メガネ拭き等を必要な長さ引き出して切断する場合に適用してもよい。また、紙には、シート状の樹脂フィルムも含む。
【符号の説明】
【００４２】
１０…ケース本体、１１…ロール紙としての脂取り紙、１２…本体部、１３…蓋部、１４…第１部材、２１…第２部材、２１ｇ…側縁部、３１…スリットとして機能する隙間、３５…引出し口、４１…切断手段としてのカッター、４１ａ…突起刃。
【図１】
0003153204.tif 000003
【図２】
0003153204.tif 000004
【図３】
0003153204.tif 000005
【図４】
0003153204.tif 000006
【図５】
0003153204.tif 000007